(57)【特許請求の範囲】
【請求項１】
規格化されたガーデン部材を、ガーデンを形成すべき場所に並設してなり、
前記ガーデン部材は、発泡樹脂で形成された基板とこの基板上に貼着された石板または木板とから構成され、
前記ガーデン部材と別のガーデン部材がさらに並設されており、
前記別のガーデン部材は枠体を備え、この枠体内には、人工土壌が充填されこの人工土壌上に芝生または苔が植えられるか、または基板が挿入されこの基板上に砂利が敷き詰められ、
前記ガーデンを形成すべき場所に並設された枠体を有する前記ガーデン部材のうちの一部に、枠体を有するガーデン部材が積載されており、
上側のガーデン部材の枠体の側板下部に切欠部を形成し、この切欠部を下側のガーデン部材の枠体の側板上部に嵌合させることによって、下側のガーデン部材どうしを連結していることを特徴とするガーデン構造。
【請求項２】
請求項１に記載のガーデン構造において、
前記ガーデンを形成すべき場所の平面的な大きさが、前記ガーデン部材の平面的な大きさの整数倍に設定されていることを特徴とするガーデン構造。
【請求項３】
請求項１，２のいずれかに記載のガーデン構造において、
前記ガーデンを形成すべき場所の一部に、前記ガーデン部材より高さの高いプランタが設置されており、このプランタと前記ガーデン部材を並設してなるガーデン部材群との間には、植物が設けられており、この植物によってプランタのフレームが隠されていることを特徴とするガーデン構造。
【請求項４】
請求項１〜３のいずれかに記載のガーデン構造において、
前記ガーデンを形成すべき場所に並設された複数のガーデン部材のうち、外周側に位置するガーデン部材のみが連結金具の両端部をそれぞれ互いに隣接するガーデン部材の側面部に係止することによって互いに連結されていることを特徴とするガーデン構造。
【請求項５】
請求項１〜４のいずれかに記載のガーデン構造において、
前記複数のガーデン部材を並設することによって構成されたガーデン部材群の外縁部と、前記ガーデンを形成すべき場所の縁部との間に、これら間を埋める調整材が設置されていることを特徴とするガーデン構造。
【発明の詳細な説明】
【０００１】
【発明の属する技術分野】
本発明は、建物の屋上、バルコニー、あるいは敷地内に容易にガーデンを形成することができるガーデン構造に関するものである。
【０００２】
【背景の技術】
建物の屋上、バルコニー等にガーデンを造る場合、レンガ、ブロック、コンクリート等でガーデンの枠組みをして、この枠組内に庭土を投入して均し、さらに、ここに植栽や玉砂利等を施したり、あるいは、前記屋上やバルコニーに、単に、植木鉢やプランタ等を適当に配置したりしている場合が多い。
【０００３】
【発明が解決しようとする課題】
ところが、前者の場合、ガーデンを造る部材が、レンガ、ブロック、コンクリート、庭土、植栽、玉砂利等と多岐にわたるため、これらを揃えて屋上やバルコニーに搬入するのは、相当の手間がかかるとともに、特に庭土はそれが多量になると、クレーン等を利用して搬入しなければならないので、かなり大掛かりなものとなっていた。
一方、後者の場合、植木鉢やプランタを適当に配置したり、集合させただけでは、総合的に統一性のとれた美しい景観のガーデンとするのは難しかった。
【０００４】
本発明は、上記事情に鑑みてなされたもので、建物の屋上、バルコニー、あるいは敷地内に、総合的に統一性のとれた美しい景観のガーデンを容易に形成することができるガーデン構造を提供することを目的としている。
【０００５】
【課題を解決するための手段】
上記目的を達成するために、本発明の請求項１のガーデン構造は、例えば、図１および図２に示すように、規格化されたガーデン部材１，２を、ガーデンを形成すべき場所（バルコニー３）に並設してなり、
前記ガーデン部材１は、発泡樹脂で形成された基板１ａとこの基板１ａ上に貼着された石板１ｂまたは木板２１ａとから構成され、
前記ガーデン部材１と別のガーデン部材２がさらに並設されており、
前記別のガーデン部材２は枠体２ａを備え、この枠体２ａ内には、人工土壌２ｂが充填されこの人工土壌２ｂ上に芝生２ｃまたは苔２２ａが植えられるか、または基板１ａが挿入されこの基板１ａ上に砂利２３ａが敷き詰められ、
前記ガーデンを形成すべき場所に並設されたガーデン部材２５…のうちの一部に、例えば図２６に示すように、枠体２５ａを有するガーデン部材２５が積載されており、
上側のガーデン部材２５の枠体２５ａの側板下部に切欠部２５ｄを形成し、この切欠部２５ｄを下側のガーデン部材２５の枠体２５ａの側板上部に嵌合させることによって、下側のガーデン部材２５，２５どうしを連結していることを特徴とする。
なお、前記枠体２ａの材質としては、例えばステンレスが好適に使用されるが、ステンレス以外の金属、樹脂、陶磁器、セラミック等何を使用してもよい。
また、人工土壌上に苔２２ａを植える場合、例えば、苔の菌を植え付けた紙等のシート２２ｂを人工土壌２ｂ上に配することにより行う。
【０００６】
前記規格化されたガーデン部材１，２とは、その全体的な大きさ、形状が統一化されたもので、例えば、縦横の長さが４００ｍｍ程度、高さが１２０ｍｍ程度の略直方体状のものが挙げれるが、該ガーデン部材の大きさ、形状はこれに限ることなく、作業者が持ち運べる程度の大きさ、形状のものであればどのようなものでもよい。
また、ガーデン部材の形状としては、前記直方体状のものの他に、所定の厚さを有し、かつ、平面視における形状が三角形状、長方形状、５角形以上の多角形状等のものが挙げられ、さらに、平面視における形状が円状、長円状、楕円状のものも挙げられる。
【０００７】
また、前記ガーデン部材の種類としては、ガーデンを構成する材料を使用した部材であり、下記のようなものが挙げられる。なお、ガーデン部材は下記のものに限定されるものではない。
1)図３および図４に示すように、発泡樹脂で形成された平面視正方形状の基板１ａ上に、御影石、人工大理石等の石からなる平面視正方形状の石板１ｂを貼着したもの。
2)図１５および図１６に示すように、前記基板１ａ上に、合板、ムク板等からなる平面視正方形状の木板２１ａを貼着したもの。
3)図６および図７に示すように、矩形箱状をなす枠体２ａの内部に人工土壌２ｂを充填し、この人工土壌上に芝生２ｃを植えたもの。
なお、前記枠体２ａの材質としては、例えばステンレスが好適に使用されるが、ステンレス以外の金属、樹脂、陶磁器、セラミック等何を使用してもよい。
4)図１７および図１８に示すように、前記枠体２ａの内部に人工土壌２ｂを充填し、この人工土壌上に苔２２ａ植えたもの。なお、人工土壌上に苔２２ａを植える場合、例えば、苔の菌を植え付けた紙等のシート２２ｂを人工土壌２ｂ上に配することにより行う。
5)図１９および図２０に示すように、前記枠体２ａの内部に発泡樹脂で形成され、かつ、高さが枠体の深さより低く設定された前記基板１ａを挿入し、この基板上に砂利２３ａを敷き詰めたもの。
6)図２１に示すように、前記枠体２ａ自体を、生け花に使用する水盤として利用したものや、植物が植えられた鉢を装填したり、フラワーアレンジメントに使用される「オアシス」と称される植物を支持する支持部材を装填する箱体として利用したもの。
【０００９】
前記ガーデンを形成すべき場所とは、建物の屋上、バルコニー、サンルーム等の建物の一部であったり、また、敷地内の地盤上であってもよい。
【００１０】
請求項１のガーデン構造にあっては、規格化されたガーデン部材１，２を、ガーデンを形成すべき場所（バルコニー３）に並設することによって、建物の屋上、バルコニー、あるいは敷地内に、総合的に統一性のとれた美しい景観のガーデンが形成される。
また、並設されたガーデン部材１，２のうちの、少なくとも一部のガーデン部１，２材を他のガーデン部材と取り替えることによって、異なる景観のガーデンを容易に形成することができるとともに、ガーデン部材の一部が破損したり、老朽化した場合等に、容易に復旧することができる。
さらに、ガーデン部材１，２が規格されているので、これを規格化された大きさのパッケージ６（図５参照）に梱包して輸送することによって、輸送や取り扱いが簡単なものとなる。
【００１２】
請求項１のガーデン構造にあっては、ガーデン部材１と別のガーデン部材２がさらに並設されており、別のガーデン部材２は枠体２ａを備え、この枠体２ａ内には、人工土壌２ｂが充填されこの人工土壌２ｂ上に芝生２ｃまたは苔２２ａが植えられるか、または基板１ａが挿入されこの基板１ａ上に砂利２３ａが敷き詰められているので、建物の屋上、バルコニー、あるいは敷地内に、総合的に統一性のとれた美しい景観のガーデンが形成される。
【００１４】
また、請求項１のガーデン構造にあっては、ガーデンを形成すべき場所に並設されたガーデン部材２５…のうちの一部に、ガーデン部材２５を積載することによって、ガーデンに立体感が醸し出される。
また、前記ガーデン部材２５を、上述したような、生け花に使用する水盤や、植物が植えられた鉢等を装填する箱体として利用する場合において、上側のガーデン部材の枠体を下側のガーデン部材の植物によって隠せば、ガーデンの景観として好ましいものとなる。
【００１５】
前記ガーデン部材２５を積載する場合、前記ガーデンを形成すべき場所に並設されたガーデン部材上に１層に積載してもよいし、２層以上に積載してもよい。
また、前記ガーデン部材を積載する場合、上側のガーデン部材の底部に、下側のガーデン部材に係合する係合部を形成するのが望ましい。この係合部は、例えば、前記ガーデン部材２５が枠体２５ａを有するものであれば、例えば図２５および図２６に示すように、この枠体２５ａの側板下部に切欠部２５ｄを形成し、この切欠部２５ｄを下側のガーデン部材２５の枠体２５ａの側板上部に嵌合させるようにすればよい。
このようにすれば，ガーデン部材２５を安定的に積載することができるとともに、上側のガーデン部材２５の切欠部２５ｄを、下側の互いに隣接するガーデン部材２５，２５の互いに当接している側板上部に嵌合することによって、下側のガーデン部材２５，２５どうしを連結することができる。
【００１６】
請求項２のガーデン構造は、請求項１において、前記ガーデンを形成すべき場所の平面的な大きさを、前記ガーデン部材の平面的な大きさの整数倍に設定したものである。
【００１７】
この場合、例えば、前記ガーデン部材を平面視矩形状に形成するとともに、ガーデンを形成すべき場所を、平面視において格子状に区画する。そして、区画された各格子の縦横の長さを、前記ガーデン部材の縦横の長さと等しく設定することによって、前記ガーデンを形成すべき場所に、複数のガーデン部材を縦横に敷き詰めることができる。
【００１８】
請求項２のガーデン構造にあっては、ガーデンを形成すべき場所の平面的な大きさを、ガーデン部材の平面的な大きさの整数倍に設定することによって、ガーデンを形成すべき場所に、複数のガーデン部材が隙間なく敷き詰められる。
したがって、規格化されたガーデン部材を所定個数用意し、これらをガーデンを形成すべき場所に並設するだけで、容易にガーデンを形成することができる。
【００１９】
請求項３のガーデン構造は、例えば、図１および図２に示すように、請求項１，２のいずれかにおいて、前記ガーデンを形成すべき場所の一部に、前記ガーデン部材１，２より高さの高いプランタ１１，１２，１３が設置されており、このプランタ１１，１２，１３と前記ガーデン部材１，２を並設してなるガーデン部材群１０との間には、植物１９が設けられており、この植物１９によってプランタ１１，１２，１３のフレームが隠されていることを特徴とする。
【００２０】
前記プランタ１１は、例えば図１２〜図１４に示すように、前記ガーデン部材より高さの高いフレーム１５と、このフレーム１５の上部に支持されたボックス１６とから構成され、このボックス１６内に、植物が植えられた鉢や、フラワーアレンジメントに使用される「オアシス」と称される植物を支持する支持部材を挿入するようにする。
【００２１】
請求項３のガーデン構造にあっては、ガーデンを形成すべき場所の一部に設置されたプランタ１１，１２，１３は、ガーデン部材１，２より高さが高いので、該プランタ１１，１２，１３に装填された植物等は、ガーデン部材によって隠されることがなく、ガーデンの景観の一部を構成することができる。
また、前記ガーデン部材を、上述したような、生け花に使用する水盤や、植物が植えられた鉢等を装填する箱体として利用する場合において、前記プランタ１１，１２，１３をガーデン部材の後方に配置し、プランタの前面部をガーデン部材の植物によって隠せば、ガーデンの景観として好ましいものとなる。
【００２２】
請求項４のガーデン構造は、例えば図１１に示すように、請求項１〜３のいずれかにおいて、前記ガーデンを形成すべき場所に並設された複数のガーデン部材１，２のうち、外周側に位置するガーデン部材１，２のみが連結金具７の両端部をそれぞれ互いに隣接するガーデン部材１，２の側面部材に係止することによって互いに連結されていることを特徴とする。
【００２３】
外周側に位置するガーデン部材１，２を互いに連結する場合、例えば、コ字状の連結金具７を使用し、この連結金具７の両端部をそれぞれ互いに隣接するガーデン部材１，２の側面部に係止することによって行えばよい。
【００２４】
請求項４のガーデン構造にあっては、外周側に位置するガーデン部材１，２を互いに連結することによって、外周側のガーデン部材１，２が、その縦横方向への移動が規制される。したがって、内側のガーデン部材１，２は、その縦横方向への移動が外側のガーデン部材によって規制されるので、結局のところガーデン部材全てが、その縦横方向への移動が規制され、よって、ガーデン部材全てが、所定の位置に固定されずれることがない。
【００２５】
請求項５のガーデン構造は、例えば図１または図２７に示すように、請求項１〜４のいずれかにおいて、前記複数のガーデン部材を並設することによって構成されたガーデン部材群１０，３１の外縁部と、前記ガーデンを形成すべき場所の縁部との間に、これら間を埋める調整材２０，３２を設置したものである。
【００２６】
つまり、ガーデンを形成すべき場所の平面的な大きさが、ガーデン部材の平面的な大きさの整数倍に設定されていなければ、前記ガーデン部材群の外縁部と、ガーデンを形成すべき場所の縁部には、隙間が形成されるので、この隙間に調整材を設置するようにする。
また、ガーデン部材の平面的な大きさの整数倍に設定されている場合でも、ガーデン部材の並設の仕方のよっては、前記隙間が形成される場合があるので、この隙間に調整材を設置するようにする。
前記調整材としては、例えば、芝、人工芝、タイル等が挙げられるが、これに限ることはない。
【００２７】
請求項５のガーデン構造にあっては，ガーデン部材群１０，３１の外縁部と、ガーデンを形成すべき場所の縁部との間に調整材２０，３２を設置することによって、ガーデンを形成すべき場所が、ガーデン部材１，２，２１と調整材２０，３２とによって隙間なく敷き詰められる。
【００２８】
【発明の実施の形態】
以下、図面を参照して本発明のガーデン構造の実施の形態例について説明する。
図１および図２は本発明のガーデン構造の一例を示すものである。これらの図に示すように、本例のガーデン構造は、規格化されたガーデン部材１，２を、ガーデンを形成すべき場所に並設することによって構成されている。
【００２９】
前記ガーデンを形成すべき場所は、建物の２階のバルコニー３であり、該バルコニーの外周部には壁４が設けられており、また、バルコニー３には、建物の外壁に取付けられた掃出し窓５から出入りするようになっている。
【００３０】
前記ガーデン部材１，２は、それぞれ縦横の長さが４００ｍｍ、高さが１２０ｍｍに大きさ、形状が統一化されたの略直方体状のものであり、以下のように構成されている。
すなわち、ガーデン部材１は、図３および図４に示すように、基板１ａと、該基板１ａ上に貼着された石板１ｂとから構成されている。
前記基板１ａは、スタイロフォームと称される発泡樹脂で形成されたもので、平面視正方形状をなしており、その下面には、ガーデン部材１をバルコニー３に設置した際における水はけをよくするための、溝１ｃ，１ｃが十字状に形成されている。また、前記石板１ｂは、御影石で形成されたもので、前記基板１ａと同形、同大の平面視正方形状をなしており、前記基板１ａの上面に接着剤によって貼着されている。このような構成のガーデン部材１では、基板１ａが軽量なスタイロフォームで形成されているので、重量の軽量化を図ることができる。また、前記ガーデン部材１は、基板１ａをスタイロフォームに代えて軽量なセラミック等で形成してもよい。
なお、前記構成のガーデン部材１は、図５に示すようなダンボール製のパッケージ６に梱包されて、輸送されるようになっている。
【００３１】
また、前記ガーデン部材２は、図６および図７に示すように、矩形箱状をなす枠体２ａと、この枠体２ａ内に充填された人工土壌２ｂと、この人工土壌２ｂ上に植えられた芝生２ｃとから構成されている。
前記枠体２ａはステンレス製のもので、図８〜図１０に示すように、四角筒状に形成された枠本体２ｄの底面四隅部に、それぞれれ三角形状の三角底板２ｅを形成し、これら三角底板２ｅ…上に、多数の小孔が形成されたパンチングメタル２ｆを上方から載置して枠本体２ｄの底部を形成し、さらに、前記三角底板２ｅの底面に、ゴムシート２ｇを貼着することにより構成されており、前記枠本体２ｄには、その四隅部にそれぞれ２個の孔２ｈ，２ｈが合計で８個形成されている。前記ゴムシート２ｇは、ガーデン部材２，２間、およびガーデン部材１，２間の不陸を解消するためのもので、ガーデン部材１，２を敷き詰めた際に、これらの上面が面一となるように、適宜の枚数が貼着されるようになっている。
【００３２】
また、前記人工土壌２ｂは、その上面を前記枠体２ａの上縁部より低くして、該枠体２ａ内に充填されている。一方、前記芝生２ｃは、平面視正方形状に形造られており、前記人工土壌２ｂ上に正方形状のまま植えこまれ、該芝生２ｃの先端は、枠体２ａの上縁部より若干突出されている。
なお、このような構成のガーデン部材２も、前記ガーデン部材１と同様に、パッケージ６に梱包されて輸送されるようになっている。
【００３３】
そして、上記構成のガーデン部材１，２は図１１に示すように、バルコニー３上に碁盤目状に並設するが、この場合、バルコニー３のコーナ部３ａから縦横に順次敷き詰めていき、さらに、ガーデン部材１と２とが互い違いになるように敷き詰めていく。
また、前記バルコニー３に並設された多数のガーデン部材１，２…のうち、外周側に位置するガーデン部材１，２を互いに連結する。この連結は、コ字状の連結金具７を使用して行う。そして、この連結金具７で、外周側において互いに隣接するガーデン部材１，２を連結するには、該連結金具７の一方の端部をガーデン部材１の発泡樹脂製の基板１ａの側面に刺し込み、また、連結金具７の他方の端部をガーデン部材２の枠体２ａに形成された２ｈに刺し込むことによって行う。なお、外周側のうち、入隅部において隣接するガーデン部材２，２は、図１に示すように、略Ｍ字状をなす連結金具８で連結する。
【００３４】
このように、外周側に位置するガーデン部材１，２、およびガーデン部材２，２を互いに連結することによって、外周側のガーデン部材１，２…が、その縦横方向への移動が規制される。したがって、内側のガーデン部材１，２は、その縦横方向への移動が外周側のガーデン部材１，２によって規制されるので、結局のところガーデン部材全てが、その縦横方向への移動が規制される。よって、ガーデン部材全てが、所定の位置に固定されるので、該ガーデン部材１，２のずれを防止することができる。
【００３５】
また、前記バルコニー３には、前記ガーデン部材１，２を並設してなるガーデン部材群１０から所定間隔離間した位置に、プランタ１１，１２，１３がバルコニー３の壁４に沿って設置されている。
これらプランタ１１，１２，１３は、前記ガーデン部材１，２より高さが高いものであり、その高さはプランタ１１，１２，１３の順で高く設定されている。前記プランタ１１，１２，１３は、高さが異なるだけでその他は同様の構成であるので、プランタ１１の構成を以下に説明し、他のプランタ１２，１３の構成の説明は省略する。
【００３６】
すなわち、前記プランタ１１は、図１２〜図１４に示すように、ガーデン部材１，２より高さの高いフレーム１５と、このフレーム１５の上部に支持されたボックス１６とから構成されている。前記フレーム１５は、棒状をなすフレーム材１５ａ…を略直方体状に組み立てて形成されたもので、その底部四隅には、フレーム材１５ａから下方に突出可能に設けられて、突出長さを調整することによってフレーム１５を鉛直に設置するための設置部１７が設けられている。
また、前記ボックス１６は植物が植えられた鉢等が装填されるもので、その開口部にはフランジ部１６ａが形成されている。そして、このボックス１６は前記フレーム１５の上部開口に挿入され、フランジ部１６ａをフレーム１５の上部開口を構成するフレーム１５ａに上方から当接することによって、フレーム１５に支持されるようになっている。
【００３７】
そして、前記プランタ１１，１２，１３には、図２に示すように、鉢に植えられた植物１８…が装填されている。前記プランタ１１，１２，１３はガーデン部材１，２より高さが高いので、該プランタ１１，１２，１３に装填された植物１８…は、ガーデン部材１，２によって隠されることがなく、ガーデンの景観の一部を構成することができる。
また、前記プランタ１１，１２，１３と前記ガーデン部材群１０との間には、植物１９…が植えこまれるか、あるいは鉢植えされて設けられており、これら植物１９…によって、プランタ１１，１２，１３のフレームおよびボックスが隠されている。したがって、プランタ１１，１２，１３のフレームおよびボックスはガーデンの景観から隠されるので、ガーデンの景観として好ましいものとなる。
【００３８】
さらに、図１および図２に示すように、前記ガーデン部材群１０の右側の外縁部と、バルコニー３の右側の縁部との間には、これら間を埋める調整材２０が設置されている。
前記調整材２０は芝生であり、この芝生２０を植え込むことによって、バルコニー３が、ガーデン部材１，２、調整材（芝生）２０、さらには上述したプランタ１２，１３，１４に装填された植物１８、プランタ１２，１３，１４の前方に植えこまれるかあるいは鉢植えされた植物１９によって隙間なく敷き詰められるので、美しい景観のガーデンを形成することができる。
【００３９】
上述したように、本例のガーデン構造では、規格化されたガーデン部材１，２バルコニー３に並設することによって、該バルコニー３に総合的に統一性のとれた美しい景観のガーデンを容易に形成することができる。
また、並設されたガーデン部材１，２のうちの、少なくとも一部のガーデン部材１，２を他のガーデン部材と取り替えることによって、異なる景観のガーデンを容易に形成することができるとともに、ガーデン部材１，２の一部が破損したり、老朽化した場合等に、容易に復旧することができる。
さらに、ガーデン部材１，２が規格されているので、これを図５に示すようなパッケージ６に梱包して輸送することによって、輸送や取り扱いを簡単なものとすることができる。
【００４０】
なお、本例では、バルコニー３にガーデン部材１，２を並設しているが、並設するガーデン部材としては、前記ガーデン部材１，２の他にも以下のようなガーデン部材２１，２２，２３，２４が挙げられる。
前記ガーデン部材２１は、図１５および図１６に示すように、前記基板１ａとこの基板１ａ上に貼着された、合板、ムク板等からなる平面視正方形状の木板２１ａとから構成されている。
【００４１】
前記ガーデン部材２２は、図１７および図１８に示すように、前記枠体２ａと、この枠体２ａの内部に充填された人工土壌２ｂと、この人工土壌２ｂに植え付けられた苔２２ａとから構成されている。なお、人工土壌２ｂ上に苔を植える場合、例えば、苔の菌を植え付けた紙等のシート２２ｂを人工土壌２ｂ上に配することにより行う。
【００４２】
前記ガーデン部材２３は、図１９および図２０に示すように、前記枠体２ａと、この枠体２ａに装填された前記基板１ａと、この基板１ａ上に敷き詰められた砂利２３ａとから構成されている。
前記ガーデン部材２４は、図２１に示すように、前記枠体２ａと、この枠体２ａの４つの内側面からそれぞれ突出形成された突起２４ａ…とから構成されている。
そして、このガーデン部材２４は、生け花に使用する水盤として利用されたり、植物が植えられた鉢を装填したり、フラワーアレンジメントに使用される「オアシス」と称される植物を支持する支持部材を装填する箱体として利用されるようになっている。なお、前記突起２４ａは、前記鉢や支持部材を側面側から支える部材として使用されるものである。
なお、前記ガーデン部材２１，２２，２３，２４は、ガーデン部材１，２と同形、同大に形成されており、図５に示すようなパッケージ６に梱包して輸送されるようになっている。
【００４３】
また、上記の例では、高さの等しいガーデン部材１，２をバルコニー３に並設するようにしたが、ガーデン部材１，２の一部に代えて、該ガーデン部材１，２と高さの異なるガーデン部材２５を並設してもよい。
前記ガーデン部材２５は、図２２〜図２４に示すように、ガーデン部材１，２より高さが高いもので、その高さは２５０ｍｍ程度に設定されている。また、ガーデン部材２５の平面視における縦横の長さは前記ガーデン部材１，２と等しく設定されている。
【００４４】
前記ガーデン部材２５は、ステンレス製のもので、四角筒状に形成された枠体２５ａと、この枠体２５ａの底部に設けられた底板２５ｂとから構成されており、この底板２５ｂは、枠体２５の下端より若干上方に配設された上げ底となっている。
また、前記底板２５ｂの中央部には、水抜き用の孔２５ｃ…が形成されている。さらに、前記枠体２５ａの４枚の側板の下端部中央には、それぞれ矩形状をなす切欠部２５ｄが形成されている。この切欠部２５ｄは、ガーデン部材２５を積み重ねる際に使用されるもので、その幅は、枠体２５ａの板厚の約２倍程度に設定されている。
【００４５】
そして、前記構成のガーデン部材２５は、図２５に示すように、前記枠体２５ａ内に、直接植物２６を植え込んだり、あるいは、鉢植えされた植物を鉢ごと装填することによって使用されるようになっている。
したがって、前記植物２６が植えこまれたガーデン部材２５を、前記ガーデン部材群１０を構成するガーデン部材１，２の一部に代えて、バルコニー３に設置すれば、ガーデンに凹凸が生じてガーデンの景観に立体感が醸し出されることになる。
【００４６】
また、前記ガーデン部材２５は、図２６に示すように、上下に積載してもよい。この場合、上側のガーデン部材２５に形成された前記切欠部２５ｄを下側のガーデン部材２５の枠体２５ａの側板上部に嵌合させることにより行う。このようにすれば、ガーデン部材２５…を安定的に積載することができるとともに、上側のガーデン部材２５の切欠部２５ｄによって、下側の互いに隣接するガーデン部材２５，２５どうしを連結することができる。
【００４７】
このように、ガーデン部材２５を積載すれば、ガーデンの景観に立体感が醸し出され、より美しいガーデンを形成することができる。
また、上側のガーデン部材２５の枠体２５ａを下側のガーデン部材２５の植物２６によって隠せば、ガーデンの景観として好ましいものとなる。
【００４８】
図２７は、本発明のガーデン構造の他の例を示すものである。この図は、建物の３階のバルコニーを示す平面図であり、該バルコニー３０がガーデンを形成すべき場所とされている。
前記バルコニー３０には、前記ガーデン部材１と、ガーデン部材２１とが碁盤目状に、かつ、ガーデン部材１と２１とが互い違いになるように並設されている。
また、前記バルコニー３０に並設された多数のガーデン部材１，２１…のうち、左右の外周側に位置するガーデン部材１，２１は、コ字状の連結金具によって互いに連結されている。
【００４９】
さらに、前記ガーデン部材１，２１を並設することによって構成されたガーデン部材群３１の左右の外縁部と、バルコニー３０の左右の縁部との間には、これら間を埋める調整材３２が設置されている。
この調整材３２は芝生であり、この芝生３２を植え込むことによって、バルコニー３０が、ガーデン部材１，２１、調整材（芝生）３２、さらには、ガーデン部材群３１の前方に設けられた植物３３によって隙間なく敷き詰められるので、美しい景観のガーデンを形成することができる。なお、図２７において符号３４は椅子、符号３５はテーブルを示している。
【００５０】
この例のガーデン構造においても、上述したガーデン構造と同様に、規格化されたガーデン部材１，２１バルコニー３０に並設することによって、該バルコニー３０に総合的に統一性のとれた美しい景観のガーデンを容易に形成することができる。
【００５１】
なお、上述した二つの例では、ガーデン部材１，２，２１を並設することによって構成されるガーデン部材群１０，３１の外縁部と、バルコニー３，３０との間に調整材２０，３２を設置するようにしたが、ガーデン部材を並設するバルコニーの平面的な大きさをガーデン部材の平面的な大きさの整数倍に設定すれば、前記調整材２０，３２を設置しなくてもよい。
【００５２】
例えば、ガーデン部材を並設するバルコニーを、平面視において格子状に区画し、この区画された各格子の縦横の長さを、前記ガーデン部材の縦横の長さと等しく設定することによって、前記バルコニーに、複数のガーデン部材を縦横に敷き詰めることができる。
したがって、この場合、規格化されたガーデン部材を所定個数用意し、これらをバルコニーに並設するだけで、容易にガーデンを形成することができる。
【００５３】
【発明の効果】
以上説明したように、本発明の請求項１のガーデン構造は、規格化されたガーデン部材を、ガーデンを形成すべき場所に並設してなるものであるから、建物の屋上、バルコニー、あるいは敷地内に、総合的に統一性のとれた美しい景観のガーデンを容易に形成することができる。
また、並設されたガーデン部材のうちの、少なくとも一部のガーデン部材を他のガーデン部材と取り替えることによって、異なる景観のガーデンを容易に形成することができるとともに、ガーデン部材の一部が破損したり、老朽化した場合等に、容易に復旧することができる。
さらに、ガーデン部材が規格されているので、これを規格化された大きさのパッケージに梱包して輸送することによって、輸送や取り扱いを簡単なものとすることができる。
【００５４】
請求項１のガーデン構造は、ガーデン部材と別のガーデン部材がさらに並設されており、別のガーデン部材は枠体を備え、この枠体内には、人工土壌が充填されこの人工土壌上に芝生または苔が植えられるか、または基板が挿入されこの基板上に砂利が敷き詰められているので、建物の屋上、バルコニー、あるいは敷地内に、総合的に統一性のとれた美しい景観のガーデンが形成される。
【００５５】
また、請求項１のガーデン構造は、前記ガーデンを形成すべき場所に並設されたガーデン部材のうちの一部に、ガーデン部材を積載したものであるから、ガーデンに立体感を醸し出すことができ、より美しい景観のガーデンを形成することができる。
また、上側のガーデン部材の枠体を下側のガーデン部材の植物によって隠すことによって、ガーデンの景観をさらに美しくすることができる。
【００５６】
請求項２のガーデン構造は、請求項１において，前記ガーデンを形成すべき場所の平面的な大きさを、前記ガーデン部材の平面的な大きさの整数倍に設定したものであるから、ガーデンを形成すべき場所に、複数のガーデン部材を隙間なく敷き詰めることができる。したがって、規格化されたガーデン部材を所定個数用意し、これらをガーデンを形成すべき場所に並設するだけで、容易にガーデンを形成することができる。
【００５７】
請求項３のガーデン構造は、請求項１，２のいずれかにおいて、前記ガーデンを形成すべき場所の一部に、前記ガーデン部材より高さの高いプランタを設置したものであるから、該プランタに装填された植物等は、ガーデン部材によって隠されることなく、ガーデンの景観の一部を構成することができるので、さらに美しい景観のガーデンを形成することができる。
また、前記プランタをガーデン部材の後方に配置し、プランタの前面部をガーデン部材の植物によって隠せば、ガーデンの景観をさらに美しくすることができる。
【００５８】
請求項４のガーデン構造は、請求項１〜３のいずれかにおいて、前記ガーデンを形成すべき場所に並設された複数のガーデン部材のうち、外周側に位置するガーデン部材を互いに連結したものであるから、外周側のガーデン部材が、その縦横方向への移動が規制され、これによって、内側のガーデン部材も、その縦横方向への移動が規制される。したがって、ガーデン部材全てが、その縦横方向への移動が規制されるので、ガーデン部材全てを、所定の位置にずれることなく容易かつ確実に固定することができる。
【００５９】
請求項５のガーデン構造は、請求項１〜４のいずれかにおいて、前記複数のガーデン部材を並設することによって構成されたガーデン部材群の外縁部と、前記ガーデンを形成すべき場所の縁部との間に、これら間を埋める調整材を設置したものであるから、ガーデンを形成すべき場所が、ガーデン部材と調整材とによって隙間なく敷き詰められ、よって、ガーデンの景観を美しくすることができる。
【図面の簡単な説明】
【図１】本発明のガーデン構造の一例を示すもので、ガーデンの平面図である。
【図２】同、ガーデンの斜視図である。
【図３】図１に示すガーデンを構成するガーデン部材を示すもので、ガーデン部材の分解斜視図である。
【図４】同、ガーデン部材の斜視図である。
【図５】図４に示すガーデン部材を梱包するためのパッケージの斜視図である。
【図６】図１に示すガーデンを構成する他のガーデン部材を示すもので、ガーデン部材の分解斜視図である。
【図７】同、ガーデン部材の斜視図である。
【図８】図７に示すガーデン部材の枠体を示すもので、枠体の平面図である。
【図９】同、枠体の側面図である。
【図１０】同、枠体の側断面図である。
【図１１】本発明のガーデン構造の一例を示すもので、ガーデン部材を並設している状態を示す斜視図である。
【図１２】図１に示すガーデンを構成するプランタを示すもので、プランタの平面図である。
【図１３】同、プランタの正面図である。
【図１４】同、プランタの側面図である。
【図１５】ガーデン部材の第１変形例を示すもので、ガーデン部材の分解斜視図である。
【図１６】同、ガーデン部材の斜視図である。
【図１７】ガーデン部材の第２変形例を示すもので、ガーデン部材の分解斜視図である。
【図１８】同、ガーデン部材の斜視図である。
【図１９】ガーデン部材の第３変形例を示すもので、ガーデン部材の分解斜視図である。
【図２０】同、ガーデン部材の斜視図である。
【図２１】ガーデン部材の第３変形例を示すもので、ガーデン部材の分解斜視図である。
【図２２】ガーデン部材の第４変形例を示すもので、ガーデン部材の平面図である。
【図２３】同、ガーデン部材の側面図である。
【図２４】同、ガーデン部材の側断面図である。
【図２５】同、ガーデン部材に植物を装填している状態を示す斜視図である。
【図２６】同、ガーデン部材を積載している状態を示す斜視図である。
【図２７】本発明のガーデン構造の他の例を示すもので、ガーデンの平面図である。
【符号の説明】
１，２，２１，２２，２３，２４，２５  ガーデン部材
３，３０  バルコニー（ガーデンを形成すべき場所）
１０，３１  ガーデン部材群
１１，１２，１３  プランタ
２０，３２  芝生（調整材）
【図１】
0003578565.tif 000002
【図２】
0003578565.tif 000003
【図３】
0003578565.tif 000004
【図４】
0003578565.tif 000005
【図５】
0003578565.tif 000006
【図６】
0003578565.tif 000007
【図７】
0003578565.tif 000008
【図８】
0003578565.tif 000009
【図９】
0003578565.tif 000010
【図１０】
0003578565.tif 000011
【図１１】
0003578565.tif 000012
【図１２】
0003578565.tif 000013
【図１３】
0003578565.tif 000014
【図１４】
0003578565.tif 000015
【図１５】
0003578565.tif 000016
【図１６】
0003578565.tif 000017
【図１７】
0003578565.tif 000018
【図１８】
0003578565.tif 000019
【図１９】
0003578565.tif 000020
【図２０】
0003578565.tif 000021
【図２１】
0003578565.tif 000022
【図２２】
0003578565.tif 000023
【図２３】
0003578565.tif 000024
【図２４】
0003578565.tif 000025
【図２５】
0003578565.tif 000026
【図２６】
0003578565.tif 000027
【図２７】
0003578565.tif 000028